(57)【要約】【課題】複数の構成部材を同時に着脱することができる、組み立て性、メンテナンス性又はリサイクル性が良い遊技台を提供する。【解決手段】遊技台１００を構成する構成部材２００と、前記構成部材２００を前記遊技台１００に固定する固定部材２０６ａと、を備え、前記固定部材２０６ａは、複数の前記構成部材２００を同時に前記遊技台１００に固定する遊技台とした。【選択図】図１
2009189445.tif 000002
【特許請求の範囲】
【請求項１】
遊技台を構成する構成部材と、
前記構成部材を前記遊技台に固定する固定部材と、
を備え、
前記固定部材は、複数の前記構成部材を共通に前記遊技台に固定することを特徴とする、
遊技台。
【請求項２】
前記固定部材は、基底部と、
前記基底部と摺動可能な固定片と、
を備え、
前記固定片が前記基底部上を摺動して、複数の前記構成部材を共通に前記遊技台に固定することを特徴とする、
請求項１に記載の遊技台。
【請求項３】
前記固定部材は、支柱部材と、
前記支柱部材に回転可能に軸支された固定片と、
を備え、
前記固定片が回転して、複数の前記構成部材を共通に前記遊技台に固定することを特徴とする、
請求項１に記載の遊技台。
【請求項４】
前記固定片は、複数の前記構成部材を前記固定片の同一面で固定することを特徴とする、
請求項２又は３に記載の遊技台。
【請求項５】
前記遊技台は、さらに検知手段を備え、
前記検知手段は、前記固定部材が前記構成部材を所定の位置で固定しているか否かを検知することを特徴とする、
請求項１乃至４のいずれか１項に記載の遊技台。
【請求項６】
前記遊技台は、前記構成部材を前記遊技台に係着させる案内部材と、
前記案内部材と係着する案内片を備えた前記構成部材と、
を備え、
前記構成部材は、前記案内部材と係着して固定されることを特徴とする、
請求項１乃至５のいずれか１項に記載の遊技台。
【請求項７】
前記構成部材は、前記遊技台との係着方向に回動可能に設けられ、
複数の前記構成部材を、前記遊技台との係着方向と平行になるように回動して固定することを特徴とする、
請求項１乃至６のいずれか１項に記載の遊技台。
【請求項８】
複数の前記構成部材は、隣接する前記構成部材と同一方向に回動するように設けられていることを特徴とする、
請求項７に記載の遊技台。
【請求項９】
複数の前記構成部材は、隣接する前記構成部材が逆方向に回動するように設けられていることを特徴とする、
請求項７に記載の遊技台。
【請求項１０】
前記構成部材は、規制部を備え、
前記規制部は、前記構成部材の回動を所定の位置で規制することを特徴とする、
請求項７乃至９のいずれか１項に記載の遊技台。
【請求項１１】
前記構成部材は、位置合わせ手段を備え、
複数の他の構成部材と所定の位置で位置合わせすることを特徴とする、
請求項１乃至１０のいずれか１項に記載の遊技台。
【請求項１２】
前記構成部材は、固定手段を備え
前記固定手段により、複数の前記構成部材で前記遊技台を挟み込んで固定することを特徴とする、
請求項１乃至１１のいずれか１項に記載の遊技台。
【請求項１３】
前記固定手段は、ボルト等の締結部材であることを特徴とする、
請求項１に記載の遊技台。
【請求項１４】
複数種類の図柄が施された複数のリールと、
前記複数のリールの回転を開始させるスタートスイッチと、
前記複数のリールのそれぞれに対応して設けられ、前記リールの回転を個別に停止させるストップスイッチと、
予め定められた複数種類の入賞役の内部当選の当否を抽選により判定する抽選手段と、
停止された前記複数のリールによって表示される図柄の組合せが、前記抽選手段により内部当選した入賞役に対応する図柄の組合せであるか否かにより前記入賞役の入賞の当否を判定する判定手段と、を備えたことを特徴とする、
請求項１乃至１２のいずれか１項に記載の遊技台。
【請求項１５】
所定の入賞口を有する遊技盤をさらに備え、
前記所定の入賞口に遊技球が入球することにより、所定の特典を与えることを特徴とする、
請求項１乃至１２のいずれか１項に記載の遊技台。
【発明の詳細な説明】
【技術分野】
【０００１】
本発明は、パチンコやスロットマシンなどに代表される遊技台に関する。
【背景技術】
【０００２】
従来、パチンコ機等の遊技を構成する構成部材、例えば発射基板等をねじで個別にベース部材に固定する発明が開示されている（例えば、特許文献１参照）。
【特許文献１】特開２００１−１８７２３５号広報
【発明の開示】
【発明が解決しようとする課題】
【０００３】
しかしながら、前述の特許文献１に開示されている発明は、遊技台のベース部材に個々に構成部材を固定する構造になっているので、組み立て、メンテナンス又はリサイクルのための分解に時間がかかってしまうという問題があった。
【０００４】
そこで、本発明は、斯かる実情に鑑み、複数の構成部材を１つの固定手段で同時に固定でき、また、その固定手段を解除することで、複数の構成部材を同時に着脱することができる、組み立て性、メンテナンス性又はリサイクル性が良い遊技台を提供しようとするものである。
【課題を解決するための手段】
【０００５】
（１）本発明は、遊技台を構成する構成部材と、前記構成部材を前記遊技台に固定する固定部材と、を備え、前記固定部材は、複数の前記構成部材を共通に前記遊技台に固定することを特徴とする、遊技台である。
【０００６】
（２）前記固定部材は、基底部と、前記基底部と摺動可能な固定片と、を備え、前記固定片が前記基底部上を摺動して、複数の前記構成部材を共通に前記遊技台に固定することを特徴とする、（１）に記載の遊技台である。
【０００７】
（３）前記固定部材は、支柱部材と、前記支柱部材に回転可能に軸支された固定片と、を備え、前記固定片が回転して、複数の前記構成部材を共通に前記遊技台に固定することを特徴とする、（１）に記載の遊技台である。
【０００８】
（４）前記固定片は、複数の前記構成部材を前記固定片の同一面で固定することを特徴とする、（２）又は（３）に記載の遊技台である。
【０００９】
（５）前記遊技台は、さらに検知手段を備え、前記検知手段は、前記固定部材が前記構成部材を所定の位置で固定しているか否かを検知することを特徴とする、（１）乃至（４）のいずれかに記載の遊技台である。
【００１０】
（６）前記遊技台は、前記構成部材を前記遊技台に係着させる案内部材と、前記案内部材と係着する案内片を備えた前記構成部材と、を備え、前記構成部材は、前記案内部材と係着して固定されることを特徴とする、（１）乃至（５）のいずれかに記載の遊技台である。
【００１１】
（７）前記構成部材は、前記遊技台との係着方向に回動可能に設けられ、複数の前記構成部材を、前記遊技台との係着方向と平行になるように回動して固定することを特徴とする、（１）乃至（６）のいずれかに記載の遊技台である。
【００１２】
（８）複数の前記構成部材は、隣接する前記構成部材と同一方向に回動するように設けられていることを特徴とする、（７）に記載の遊技台である。
【００１３】
（９）複数の前記構成部材は、隣接する前記構成部材が逆方向に回動するように設けられていることを特徴とする、（７）に記載の遊技台である。
【００１４】
（１０）前記構成部材は、規制部を備え、前記規制部は、前記構成部材の回動を所定の位置で規制することを特徴とする、（７）乃至（９）のいずれかに記載の遊技台である。
【００１５】
（１１）前記構成部材は、位置合わせ手段を備え、複数の他の構成部材と所定の位置で位置合わせすることを特徴とする、（１）乃至（１０）のいずれかに記載の遊技台である。
【００１６】
（１２）前記固定手段は、ボルト等の締結部材であることを特徴とする、（１）に記載の遊技台である。
【００１７】
（１３）複数種類の図柄が施された複数のリールと、前記複数のリールの回転を開始させるスタートスイッチと、前記複数のリールのそれぞれに対応して設けられ、前記リールの回転を個別に停止させるストップスイッチと、予め定められた複数種類の入賞役の内部当選の当否を抽選により判定する抽選手段と、停止された前記複数のリールによって表示される図柄の組合せが、前記抽選手段により内部当選した入賞役に対応する図柄の組合せであるか否かにより前記入賞役の入賞の当否を判定する判定手段と、を備えたことを特徴とする、（１）乃至（１２）のいずれかに記載の遊技台である。
【００１８】
（１４）所定の入賞口を有する遊技盤をさらに備え、前記所定の入賞口に遊技球が入球することにより、所定の特典を与えることを特徴とする、（１）乃至（１２）のいずれかに記載の遊技台である。
【発明の効果】
【００１９】
組み立て性、メンテナンス性が良い遊技台を提供できるという優れた効果を奏し得る。
【発明を実施するための最良の形態】
【００２０】
以下、図面を用いて、本発明の第１実施形態に係るスロットマシン（遊技台）について詳細に説明する。
【００２１】
＜全体構成＞
【００２２】
まず、図１を用いて、スロットマシン１００の全体構成について説明する。なお、同図はスロットマシン１００の外観斜視図を示したものである。
【００２３】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。本実施例１において、各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施例１では、３個のリールをスロットマシン１００の中央内部に備えているが、リールの数やリールの設置位置はこれに限定されるものではない。
【００２４】
また、各々のリール１１０〜１１２の背面には、図柄表示窓１１３に表示される個々の図柄を照明するためのバックライト（図示省略）が配置されている。なお、このバックライトは、各々の図柄ごとに遮蔽されて個々の図柄を均等に照射できるようにすることが望ましい。
【００２５】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００２６】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２７】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナス遊技中（ＢＢ遊技中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２８】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダル及びベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２９】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００３０】
ドアキー１４０は、スロットマシン１００の前面扉１０２のロックを解除するためのキーを挿入する孔である。メダル払出口１５５は、メダルを払出するための払出口である。メダル受皿１５６は、メダル払出口１５５から払出されたメダルを溜めるための器である。なお、メダル受皿１５６は、本実施例１では発光可能な受皿を採用しており、以下受皿ランプと呼ぶこともある。
【００３１】
上部ランプ１５０、サイドランプ１５１、中央ランプ１５２、腰部ランプ１５３、下部ランプ１５４、受皿ランプ１５６は、遊技を盛り上げるための装飾用のランプである。扉付き液晶表示装置６００は、液晶表示装置（ＬＣＤ）６１０と、左扉６２０と、右扉６３０を備えている。音孔１６０は、スロットマシン１００内部に設けられているスピーカの音を外部に出力するための孔である。タイトルパネル１６２には、スロットマシン１００を装飾するための図柄が描かれる。
【００３２】
＜制御部＞
【００３３】
次に、図２及び図３を用いて、このスロットマシン１００の制御部の回路構成について詳細に説明する。
【００３４】
スロットマシン１００の制御部は、大別すると、遊技の中枢部分を制御する主制御部３００と、主制御部３００より送信されたコマンドに応じて各種機器を制御する副制御部４００によって構成されている。
【００３５】
＜主制御部＞
【００３６】
まず、図２を用いて、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。
【００３７】
クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３８】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３９】
さらに、ＣＰＵ３１０には、各ＩＣを制御するための制御プログラムデータ、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算／貯留スイッチ３２４、メダル払い出しセンサ３２６の状態を検出し、各センサを監視している。
【００４０】
メダル投入センサ３２０は、メダル投入口１３４の内部の通路に２個設置されており、メダルの通過有無を検出する。スタートレバーセンサ３２１は、スタートレバー１３５に設置されており、遊技者によるスタート操作を検出する。ストップボタンセンサ３２２は、各々のストップボタン１３７乃至１３９に設置されており、遊技者によるストップボタンの操作を検出する。
【００４１】
メダル投入ボタンセンサ３２３は、メダル投入ボタン１３０、１３１のそれぞれに設置されており、ＲＡＭ３１３に電子的に貯留されているメダルを遊技用のメダルとして投入する場合の投入操作を検出する。たとえば、ＣＰＵ３１０は、メダル投入ボタン１３０に対応するメダル投入ボタンセンサ３２３がＨレベルになった場合に、電子的に貯留メダルを１枚投入し、メダル投入ボタン１３１に対応するメダル投入ボタンセンサ３２３がＨレベルになった場合に、電子的に貯留メダルを３枚投入する。なお、メダル投入ボタン１３１が押された際、貯留されているメダル枚数が２枚の場合は２枚投入され、１枚の場合は１枚投入される。
【００４２】
精算／貯留スイッチ３２４は、精算ボタン１３２に設けられている。精算ボタン１３２が一回押されると、貯留されているメダルの清算が行われる。メダル払い出しセンサ３２６は、払い出されるメダルを検出するためのセンサである。なお、以上の各センサは、非接触式のセンサであっても接点式のセンサであってもよい。
【００４３】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー（バケットにたまっているメダルをメダル払出口１５５から払出すための装置。図示省略。）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）が接続されている。
【００４４】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。本発実施形態における乱数発生回路３１７は、水晶発振器３１１のクロック周波数を用いて０〜６５５３５までの値をインクリメントするカウンタと、水晶発振器３１６のクロック周波数を用いて０〜１６７７７２１５までの値をインクリメントするカウンタの２つの乱数カウンタを備えている。
【００４５】
また、ＣＰＵ３１０のデータバスには、副制御部４００にコマンドを送信するための出力インタフェース３７１が接続されている。
【００４６】
＜副制御部＞
【００４７】
次に、図３を用いて、スロットマシン１００の副制御部４００について説明する。なお、同図は副制御部４００の回路ブロック図を示したものである。
【００４８】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００４９】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００５０】
また、ＣＰＵ４１０には、副制御部４００の全体を制御するための命令及びデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００５１】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００５２】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、扉・液晶画面制御部４９０からの信号を入力するための入力インタフェース４７１、時計ＩＣ４２３、７セグメント表示器４４０への信号を出力するための出力インタフェース４７２等が接続されている。
【００５３】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。さらに、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、受け皿ランプ１５６、払出口ストロボ１７１を制御する。タイトルパネルランプ１７０は、タイトルパネル１６２を照明するランプであり、払出口ストロボ１７１は、払い出し口の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置６１０及び扉６２０、６３０を制御する制御部である。
【００５４】
＜主制御部メイン処理＞
【００５５】
次に、図４を用いて、主制御部３００のメイン処理について説明する。なお、同図は、主制御部３００のメイン処理の流れを示すフローチャートである。
【００５６】
スロットマシン１００に電源が投入されると、まず、ステップＳ１０１において、その他の各種の初期化処理が実行される。例えば、後で説明するホッパー５００が遊技台の所定位置に取り付けられているか、遊技台に取り付けられているセンサ（図示省略）で検知し、ホッパー５００が所定の位置に取り付けられていない場合、報知ブザーや報知ランプ（図示しない）で作業者に知らせる。
【００５７】
ステップＳ１０２では、メダル投入に関する処理を行う。ここでは、メダルの投入の有無をチェックし、投入されたメダルの枚数に応じて入賞ライン表示ランプ１２０を点灯させる。なお、前回の遊技で再遊技に入賞した場合はメダルの投入が不要である。
【００５８】
ステップＳ１０３では、遊技のスタート操作に関する処理を行う。ここでは、スタートレバー１３５が操作されたか否かのチェックを行い、スタート操作されたと判断した場合は、投入されたメダル枚数を確定する。
【００５９】
ステップＳ１０４では、有効な入賞ライン１１４を確定する。
【００６０】
ステップＳ１０５では、乱数発生器３１７で発生させた乱数を取得する。
【００６１】
ステップＳ１０６では、ステップＳ１０５で取得した乱数値と、ＲＯＭ３１２に格納されている入賞役抽選テーブルを用いて、入賞役の内部抽選を行う。内部抽選の結果、いずれかの入賞役に内部当選した場合、その入賞役のフラグを内部的にＯＮに設定する。なお、ステップＳ１０５で取得した乱数値は、入賞役内部抽選のほかにも、リール停止制御テーブルを選択するときの抽選等にも使用してもよい。
【００６２】
ステップＳ１０７では、リール回転開始処理により、全リール１１０〜１１２の回転を開始させる。
【００６３】
ステップＳ１０８では、リール停止制御処理により、押されたストップボタン１３７〜１３９に対応するリール１１０〜１１２の回転を停止させる。この際、各リール１１０〜１１２を、内部当選に応じたリール停止制御テーブルに基づいて停止させる。さらに、ストップボタン１３７〜１３９が押されることによって停止した図柄の入賞判定を行う。
【００６４】
ステップＳ１０９では、メダル投入によって有効化された入賞ライン上に、内部当選した入賞役またはフラグ持越し中の入賞役に対応する入賞図柄組合せが揃った（表示された）場合にその入賞役に入賞したと判定する。例えば、有効化された入賞ライン上に、「リプレイ−リプレイ−リプレイ」が揃っていたならばリプレイ入賞と判定する。また、入賞した入賞役に対応するフラグがリセットされる。
【００６５】
ステップＳ１１０では、メダル払出処理を行う。このメダル払出処理では、払い出しのある何らかの入賞役に入賞していれば、その入賞役に対応する枚数のメダルを払い出す。
【００６６】
ステップＳ１１１では、遊技状態制御処理を行う。この遊技状態制御処理では、遊技状態を移行するための制御が行われ、例えば、ＢＢ入賞の場合に次回からＢＢ遊技を開始できるよう、ランプ、音、払い出し枚数カウンタに初期値セット等の準備し、それらの最終遊技では、次回から通常遊技が開始できるよう準備する。
【００６７】
以上により１遊技（つまり、以下、１遊技（単に遊技と言うこともある）とはメダル投入から次の遊技状態の移行までを言う。）が終了し、以降、主制御部メイン処理を繰り返すことにより遊技が進行することになる。なお、図示は省略するが、主制御部３００は、このメイン処理に加えて、タイマ割込みに基づいて定期的にタイマ割込み処理を実行し、このタイマ割込み処理において副制御部４００に対してコマンドを送信するように構成されている。
【００６８】
次に、図５を用いて、本発明に係る第１実施形態について詳細に説明する。同図（ａ）は、スロットマシン１００の本体１０１の遊技者側から見た正面図であり、同図（ｂ）は、基板収容ケース２００の概略斜視図であり、同図（ｃ）は、基板収容ケース２００の側面図であり、同図（ｄ）は、同図（ａ）のＡ−Ａで切断した基板収容ケース２００と本体１０１の断面図である。
【００６９】
同図（ａ）に示すように、本実施例は、主制御基板、副制御基板、リールユニット制御基板等（いずれも図示省略）の基板類を収容する複数の基板収容ケース２００を、共通のボルト２０６ａで本体１０１の所定の位置に同時に固定または固定解除できるところに特徴がある。
【００７０】
まず、同図（ｂ）に示すように、基板収容ケース２００は、第１基板収容ケース２０２と第２基板収容ケース２０４から構成された樹脂製又は金属製の略箱形部材である。そして、第１基板収容ケース２０２は、基板を収容する箱部から外側へ突出した嵌合片２０３を備え、第２基板収容ケース２０４も同様の嵌合片２０５を備え、嵌合片２０３と嵌合片２０５は、上下で互いに嵌合するような位置に設けられている。
【００７１】
第１基板収容ケース２０２は、嵌合片２０３上に２個の凸部２０３ａと、第１嵌合穴２０３ｂを備え、凸部２０３ａは、第２基板収容ケースとの嵌合方向に略円柱凸形状となっている。
【００７２】
第２基板収容ケース２０４は、嵌合片２０５上に２個の凹部２０５ａと、第２嵌合穴２０５ｂを備えている。凹部２０５ａは、嵌合片２０３との嵌合面に設けられている。
【００７３】
また、同図（ｃ）に示すように、嵌合片２０３は、嵌合片２０５の上方向から嵌合し、嵌合片２０３に設けられた凸部２０３ａは、嵌合片２０５に設けられた凸部２０５ａと嵌合する。さらに、第１嵌合穴２０３ｂと第２嵌合穴２０５ｂは略同円心上に重なり合うように構成されている。
【００７４】
同図（ｄ）に示すように、嵌合穴２０３ｂと嵌合穴２０５ｂは、同一円心上で互いに重なった状態でボルト２０６ａにより共締めされ、本体１０１の所定の位置に固定される。さらに、第１基板収容ケース２０２及び第２基板収容ケース２０４は、他の取付穴（図示省略）とボルト２０６ｂを嵌合させて本体１０１に固定される。
【００７５】
したがって、第１基板収容ケース２０２及び第２基板収容ケース２０４は、共通のボルト２０６ａで本体１０１に同時に固定又は固定解除できるので、基板収容ケース２００を本体１０１に組み付けたり、本体１０１から取り外して分解（リサイクル）する場合、ボルトの数量を減らすことができるという効果がある。
【００７６】
また、本実施例では、基板収容ケース２００を本体１０１にボルト２０６ｂで固定する構造としたが、例えば、本体１０１に嵌合穴（図示省略）を設け、基板収容ケース２００に嵌合片（図示省略）を設けて嵌め合い構造にしてもよく、この場合、さらにボルト等の締結手段の数量を減らすことができる。
【００７７】
また、種類の異なる構成部材を同時に固定してもよく、例えば、本実施例の第１基板収容ケース２０２及び第２基板収容ケース２０４と、後述する第４実施形態のリールユニット１０８の固定片１０９ａに設けられた取付穴１０９ｂを共締めして、本体１０１に同時に固定するようにしても好ましい。
【００７８】
次に、図６を用いて、本発明に係る第２実施形態について詳細に説明する。同図（ａ）は、スロットマシン１００の前面扉１０２を開放した状態（ホッパー２５０収容前）を示す図であり、同図（ｂ）は、スロットマシン１００の前面扉１０２を開放した状態（ホッパー２５０収容後）を示す図である。第２実施形態は、後で説明するストッパー装置２８２をスライドさせることで、ホッパー２５０とオーバーフロータンク２７０（以下、単にホッパー２５０等と言うことがある。）を簡単に本体１０１に固定または固定解除できるところに特徴がある。なお、オーバーフロータンク２７０は、ホッパー２５０に収容できずに溢れ出たメダルを一時的に貯留するための装置である。
【００７９】
同図（ａ）に示すように、ホッパー２５０、オーバーフロータンク２７０は、案内片２５２、２７２が設けられ、また、本体１０１の下方の所定位置に設けられた設置部材２４０には案内溝２４２が設けられている。案内片２５２、２７２と案内溝２４２は所定の位置で係着し、同図（ｂ）に示すように、ホッパー等２５０は、本体１０１に収容される。なお、本体１０１の下方の設置部材２４０の手前（前面扉１０２側）には、本体１０１の横幅方向にガイドレール２８０と、ガイドレール２８０に沿ってスライド可能にストッパー装置２８２が設けられている。このストッパー装置２８２は、所定の間隔で凸状の第１ストッパー片２８２ａと、第２ストッパー片２８２ｂを備えている。本実施例では、第１ストッパー片２８２ａと第２ストッパー片２８２ｂは互いに連動して動く構造にしているが、個別にスライドできるようにしてもよい。
【００８０】
図７は、スロットマシン１００の前面扉１０２を開放した状態の遊技者側から見た本体１０１の正面図である。同図を用いて、本体１０１とホッパー２５０等の固定、固定解除の方法について説明する。同図（ａ）は、ホッパー２５０等が固定解除されている状態を示す図であり、同図（ｂ）は、ホッパー２５０等が固定されている状態を示す図である。
【００８１】
同図（ａ）に示すように、第１ストッパー片２８２ａ及び第２ストッパー片２８２ｂを矢印（同図右方向）にスライドさせ、それぞれＣ及びＥの範囲に位置している場合、ホッパー２５０等は、第１ストッパー片２８２ａまたは第２ストッパー片２８２ｂに阻まれず、ホッパー２５０等は設置部材２４０から取り外し可能な状態になる。
【００８２】
一方、同図（ｂ）に示すように、第１ストッパー片２８２ａ及び第２ストッパー片２８２ｂがそれぞれ同図（ａ）のＤ及びＦの範囲に位置している場合、ホッパー２５０等は、第１ストッパー片２８２ａまたは弟２ストッパー片２８２ｂに阻まれ、ホッパー２５０等は設置部材２４０に固定された状態になる。
【００８３】
したがって、第１ストッパー片２８２ａおよび第２ストッパー片２８２ｂを備えるストッパー装置２８２を所定の位置にスライドさせることで、ホッパー２５０及びオーバーフロータンク２７０を設置部材２４０に固定または固定解除することができ、固定が簡単に出来るという効果がある。
【００８４】
なお、図６（ｂ）に戻って、ガイドレール２８０にロック装置２８６を設けて、第１ストッパー片２８２ａ又は第２ストッパー片２８２ｂを所定の位置でロックし、ロック解除キー（図示省略）を用いてロック装置を解除しない限りは、ホッパー２５０等を固定解除出来ないようにしてもよい。またロック装置２８６は、封印テープ（図示省略）等であって、封印が解除されたか否かを確認出来るものであってもよい。この場合、遊技者がホッパー２５０等を勝手に取り外して、メダルを取得する等の不正行為を防止することができるという効果がある。
【００８５】
また、図７（ｂ）に戻って、第１ストッパー片２８２ａ等に位置センサ２８７を設け、ガイドレール２８０に当接壁２８８を設けるようにして、その位置センサ２８７がスライドして当接壁２８８の右側に当接した場合に、報知ランプまたは報知ブザー（いずれも図示省略）によりホッパー２５０等の固定、固定解除できることを知らせるようにしてもよい。このようにすることで、ホッパー２５０等の固定、固定解除を容易に確認できるという効果がある。
【００８６】
次に、図８を用いて、本発明に係る第３実施形態について詳細に説明する。同図（ａ）は、スロットマシン１００の前面扉１０２を開放した状態（ホッパー２５０等固定解除状態）を示した図であり、同図（ｂ）は、スロットマシン１００の前面扉１０２を開放した状態（ホッパー２５０等固定状態）を示した図である。
【００８７】
第３実施形態は、ストッパー装置５００のストッパー片５０４を回転することで、ホッパー２５０、オーバーフロータンク２７０を本体１０１に簡単に固定できるところに特徴がある。なお、ホッパー２５０及びオーバーフロータンク２７０の本体１０１への組み付けについては、第２実施形態と同じであるので、ここでは詳細な説明は省略する。
【００８８】
まず、同図（ａ）に示すように、ホッパー等２５０を設置部材２４０に係着させながら矢印のＡ方向に収容する。また、この時、本体１０１下方の所定位置で、ホッパー２５０とオーバーフロータンク２７０の間隔の間にストッパー５００が設けられている。
【００８９】
ストッパー５００は、本体１０１の底面から上方（リールユニット１０８方向）へ伸びるように設置された支柱５０２と、その支柱５０２に対して本体１０１の開口面に平行に回転可能に設けられた棒状のストッパー片５０４を備えて構成されている。また、ストッパー片５０４は、樹脂製又は金属製の棒状部材で、その長手方向の長さは、ストッパー２５０とオーバーフロータンク２７０を本体１０１に収容した場合の、ストッパー２５０とオーバーフロータンク２７０の間隔よりも長い関係にある。
【００９０】
同図（ｂ）に示すように、ホッパー２５０等を本体１０１の所定の位置に収容した後、ホッパー２５０とオーバーフロータンク２７０の間に設けられたストッパー片５０４を矢印のＢ方向（Ｂと逆方向でも問題ない）に回転させることで、ホッパー２５０とオーバーフロータンク２７０を同時に固定することができる。
【００９１】
なお、ストッパー片５０４が、回転の所定位置で停止するように、支柱５０２またはストッパー片５０４に規制部材（図示省略）を設けてもよい。
【００９２】
図９は、スロットマシン１００の前面扉１０２を開放した場合の遊技者側から見た正面図であるが、同図を用いて、本体１０１とホッパー２５０等の固定、固定解除について説明する。同図（ａ）は、ホッパー２５０等が固定解除されている状態を示す図であり、同図（ｂ）は、ホッパー２５０等が固定されている状態を示す図である。
【００９３】
同図（ａ）に示すように、本体１０１とホッパー２５０等の固定を解除する場合、棒状のストッパー片５０４が、支柱５０２と平行になる位置に回転させる。この状態では、ホッパー２５０等はストッパー片５０４で規制されず、本体１０１から取り外し可能になる。
【００９４】
一方、本体１０１にホッパー２５０等を固定する場合、同図（ｂ）に示すように、同図（ａ）の位置からストッパー片５０４を略９０°回転させて、ストッパー片５０４が支柱５０２と垂直になるようにする。この状態では、ストッパー片５０４でホッパー２５０とオーバーフロータンク２７０は同時に固定される。
【００９５】
したがって、ホッパー２５０等を本体１０１に簡単に固定、固定解除できるという効果がある。
【００９６】
次に、図１０を用いて、本発明に係る第４実施形態について詳細に説明する。同図（ａ）は、リールユニット１０８の概略斜視図であり、同図（ｂ）は、基板収容ケース５００の概略斜視図であり、同図（ｃ）は、スロットマシン１００の前面扉１０２を開放した状態（基板収容ケース組み付け前）の遊技者側から見た正面図であり、同図（ｄ）は、スロットマシン１００の前面扉１０２を開放した状態（基板収容ケース組み付け後）の遊技者側から見た正面図であり、同図（ｅ）は、同図（ｄ）のＡ−Ａで切断したリールユニット１０８と基板収容ケース５００の断面図である。第４実施形態は、リールユニット１０８と基板収容ケース５００を本体１０１に共通のボルト５１５で同時に固定、取り外しが出来るところに特徴がある。
【００９７】
同図（ａ）に示すように、リールユニット１０８は、ユニット本体１０９と、ユニット本体１０９内部にリール１１０〜１１２が回転可能に備えて構成されている。また、ユニット本体１０９は、２個の固定片１０９ａと、各固定片１０９ａに取付穴１０９ｂを備えている。
【００９８】
同図（ｂ）に示すように、基板収容ケース５００は、樹脂製または金属製の箱形部材で、略L字型の２個の嵌合片５１２と、２個の取付片５１４を備えて構成されている。また、嵌合片５１２は、くさび状の凸部５１２ａを備え、取付片５１４は、ボルト５１５と嵌合する取付穴５１４ａを備えている。
【００９９】
次に、本体１０１へのリールユニット１０８と基板収容ケース５００の固定、取り外しについて説明する。同図（ｃ）に示すように、まず、本体１０１に設けられた固定丸穴１０１ｂに合わせてリールユニット１０８を取り付け、リールユニット１０８の取付穴１０９ｂ以外の取付穴（図示省略）を本体１０１の固定丸穴１０１ｂにボルト５１５で固定する。
【０１００】
次に、基板収容ケース５００に設けられた嵌合片５１２の凸部５１２ａ方向から、本体１０１に設けられた２か所の固定角穴１０１ａに差し込むように嵌合させる。
【０１０１】
嵌合片５１２が固定角穴１０１ａと所定の位置で嵌合した場合、基板収容ケース５００に設けられた取付穴５１４ａと、本体１０１に設けられた固定丸穴１０１ｂと、リールユニット１０８に設けられた取付穴１０９ｂの３つの穴が略同心円で重なるように構成されており、共通のボルト５１５で、リールユニット１０８、基板ケース５００を本体１０１に同時に固定できる。
【０１０２】
したがって、本体１０１に、リールユニット１０８と、基板ケース５００を共通のボルト５１５で一度に固定、取り外しが簡単に出来るので、組み立て、分解コスト等を削減できるという効果がある。
【０１０３】
次に、図１１を用いて、本発明に係る第５実施形態について詳細に説明する。同図（ａ）は、スロットマシン１００の概略斜視図であり、同図（ｂ）は、スロットマシン１００の前面扉１０２を開放した状態の概略斜視図であり、同図（ｃ）は、本体１０１に組み付けられたメダル投入口１３４の断面図である。
【０１０４】
第５実施形態は、スロットマシン１００の前面扉１０２を挟んで、メダル投入口１３４と、メダルセレクタ６８０を共通のボルト６９０で一度に固定できるところに特徴がある。
【０１０５】
同図（ａ）に示すように、メダル投入口１３４は、前面扉１０２の所定の位置に組み付けられている。
【０１０６】
また、同図（ｂ）に示すように、メダル投入口１３４は、その下側に固定穴１３４ａが設けられており、前面扉１０２の所定の位置に組み付けられた場合、後で説明するホルダ本体６８２に設けられた取付穴６８３ａと同心円上に重なり、共通のボルト６９０で同時に全面扉１０２に固定される。
【０１０７】
メダルセレクタ６００は、セレクタ本体６８１と、そのセレクタ本体６８１と嵌合して同時に前面扉１０２に固定されるホルダ本体６８２を備えて構成される。
【０１０８】
セレクタ本体６８１は、ホルダ本体６８２と嵌合するための嵌合手段（図示省略）を備え、ホルダ本体６８２と嵌合した状態で、前面扉１０２に固定される。
【０１０９】
ホルダ本体６８２は、金属製の板金部材で、凸形状のホルダ取付片６８３と、そのホルダ取付片６８３の略中央に取付穴６８３ａを備えている。
【０１１０】
メダル投入口１３４は、前面扉１０２を挟んで、前面扉１０２の後方（遊技者と反対側）に配置されるホルダ本体６８２と組み付けられる。
【０１１１】
同図（ｃ）に示すように、メダル投入口１３４とホルダ本体６８２は、前面扉１０２の所定の位置に組み付けられた場合、メダル投入口１３４に設けられた固定穴１３４ａと、ボルダ本体６８２の取付片６８３に設けられた取付穴６８３ａと、前面扉１０２に設けられた取付穴（図示省略）が同一円心上に重なるように構成されている。
【０１１２】
そして、取付穴６８３ａ側から、ボルト６９０を挿入して取付穴６８３ａと固定穴１３４ａと前面扉１０２に設けられた取付穴（図示省略）を同時に固定する。
【０１１３】
したがって、共通のボルト６９０で、メダル投入口１３４とメダルセレクタ６８０を前面扉１０２に同時に固定でき、組み立て、分解コスト等を削減できるという効果がある。
【０１１４】
次に、図１２、図１３を用いて、本発明に係る第６実施形態について詳細に説明する。図１２は、パチンコ機９００の扉部材９０２の本体側から見た概略斜視図である。また、図１３は、パチンコ機９００の扉部材９０２に第１基板収容ケース６５２と、第２基板収容ケース６５４を固定した図であり、同図（ａ）は、扉部材９０２を本体側から見た概略斜視図であり、同図（ｂ）は、扉部材９０２を本体側から見た正面図であり、同図（ｃ）は、同図（ｂ）のＡ−Ａで切断した第１基板収容ケース６５２と第２基板収容ケース６５４の断面図である。
【０１１５】
第６実施形態は、２個の基板収容ケース６５０を扉部材９０２に共通のボルト６５９で同時に固定できるところに特徴がある。
【０１１６】
図１２に示すように、扉部材９０２は、主基板収容ケース９０３の下方に、基板取付部９０４を有し、その基板取付部９０４には、固定穴９０４ａを備えている。後で説明する第１基板収容ケース６５２に設けられた第１取付穴６５２ａと、第２基板収容ケース６５４に設けられた第２取付穴６５５ａは、固定穴９０４ａに共通のボルト６５９で同時に固定される。
【０１１７】
第１基板収容ケース６５２は、樹脂製又は金属製の箱形部材であり、その四隅に第１取付穴６５２ａが設けられている。
【０１１８】
第２基板収容ケース６５４は、樹脂製又は金属製の箱形部材であり、下段収容部６５５と上段収容部６５６の２段形状になっている。上段収容部６５６は、第１基板収容ケース６５２の箱形の収容部より若干小さく構成され、下段収容部６５５は、下第１基板収容ケース６５２の箱形の収容部と略同じ大きさで、その四隅に第２取付穴６５５aを備えている。なお、第１基板収容ケースと第２基板収容ケースには、遊技球の払い出しの制御をする、払出し基板（図示省略）等が収容される。
【０１１９】
第１基板収容ケース６５２と第２基板収容ケース６５４が、所定の位置で係合した場合、扉部材９０２の基板取付部９０４に設けられた固定穴９０４ａと、第１取付穴６５２ａと、第２取付穴６５５ａが同一円心上で重なるように設けられている。
【０１２０】
図１２、図１３（ａ）に示すように、第１基板収容ケース６５２と第２基板収容ケース６５４は、矢印方向から共通のボルト６５９で同時に基板取付部９０４の所定の位置に固定される。
【０１２１】
この場合、第１基板収容ケース６５２と、第２基板収容ケース６５４を図１３（ｂ）に示すＡ−Ａの位置で切断した場合、その断面は、同図（ｃ）に示すような組み付け状態となる。
【０１２２】
つまり、扉部材９０２の基板取付部９０４の所定の位置に、まず第１基板収容ケース６５２、第２基板収容ケース６５４の順番で組み付けられる。この位置で、固定穴９０４ａと、第１取付穴６５２ａと、第２取付穴６５５ａは同一円心上で重なり、共通のボルト６５９で、固定穴９０４ａに共締めすることが出来る。
【０１２３】
したがって、共通のボルト６５９で２個の基板ケース６５２、６５４を扉部材９０２に同時に固定でき、組み立て、分解コスト等を削減できるという効果がある。
【０１２４】
次に、図１４、図１５を用いて、本発明に係る第７実施形態について詳細に説明する。図１４は、パチンコ機９００の扉部材９０２の本体側から見た概略斜視図である。また、図１５は、パチンコ機９００の扉部材９０２に第１基板収容ケース７１０と、第２基板収容ケース７２０と、第３基板収容ケース７３０を固定した図であり、同図（ａ）は、扉部材９０２の本体側から見た概略斜視図であり、同図（ｂ）は、扉部材９０２の本体側から見た正面図であり、同図（ｃ）は、同図（ｂ）のＡ−Ａで切断した第１基板収容ケース７１０と第２基板収容ケース７２０と、第３基板収容ケース７３０の断面図である。
【０１２５】
第７実施形態は、共通のボルト７４５で３個の基板収容ケースを扉部材９０２に同時に固定できるところに特徴がある。
【０１２６】
図１４に示すように、扉部材９０２は、主基板収容ケース９０３の下方に、基板取付部９０４を有し、基板取付部９０４は、４個の固定穴９０４ａを備えている。また、固定穴９０４ａは、後で説明する第１基板収容ケース７１０に設けられた第１取付穴７１１ａと、第２基板収容ケース７２０に設けられた第２取付穴７２０ａと、第３基板収容ケース７３０に設けられた第３取付穴７３０ａが共通のボルト７４０で同時に固定される。
【０１２７】
第１基板収容ケース７１０は、樹脂製又は金属製の箱形部材であり、下段収容部７１１と上段収容部７１２の２段形状になっており、下段収容部７１１の四隅に第１取付穴７１１ａが設けられており、上段収容部７１２の横幅方向の略中央両側に２個の固定穴７１２ａを備えている。
【０１２８】
第２基板収容ケース７２０は、樹脂製又は金属製の箱形部材であり、横幅方向の略中央両側に２個の第２取付穴７２０aを備えている。
【０１２９】
第３基板収容ケース７３０は、第２基板ケース７２０と略同一形状であり、横幅方向の略中央両側に２個の第３取付穴７３０aを備えている。
【０１３０】
基板取付部９０４と第１基板収容ケース７１０が所定の位置で係合した場合、固定穴９０４ａと第１取付穴７１１ａは略同一円心上で重なり、第１基板収容ケース７１０は、ボルト７４０で固定穴９０４ａに固定される。
【０１３１】
また、第１基板収容ケース７１０と、第２基板収容ケース７２０と、第３基板収容ケース７３０が、所定の位置で係合した場合、第１基板収容ケース７１０に設けられた固定穴７１２ａと第２基板収容ケース７２０に設けられた第２取付穴７２０ａと、第３基板収容ケース７３０に設けられた第３取付穴が、同一円心上に重なり、共通のボルト７４５で取付穴７１２ａに固定される。
【０１３２】
図１５（ａ）に示すように、共通のボルト７４０、７４５により、第１基板収容ケース７１０と、第２基板収容ケース７２０と、第３基板収容ケース７３０を同時に基板取付部９０４に固定することができ、同図（ｂ）に示すように、各基板収容ケースをＡ−Ａ及びＢ−Ｂの位置で切断した場合、その断面は、同図（ｃ）に示すようになる。
【０１３３】
つまり、基板取付部９０４の所定の位置に、ボルト７４０で第１基板収容ケース７１０が固定される。次に、第１基板ケース７１０の所定の位置に、共通のボルト７４５で第２基板ケース７２０と、第３基板ケース７３０が同時に固定される。
【０１３４】
したがって、共通のボルト７４０、７４５により各基板収容ケース７１０、７２０、７３０を扉部材９０２に同時に固定でき、組み立て、分解コスト等を削減できるという効果がある。
【０１３５】
次に、図１６を用いて、本発明に係る第８実施形態について詳細に説明する。同図（ａ）は、パチンコ機９００の扉部材９０２を本体側から見た概略斜視図であり、同図（ｂ）は、パチンコ機９００の扉部材９０２を本体側から見た正面図である。
【０１３６】
第８実施形態は、扉部材９０２に、メダルタンク８００とタンクレール８１０を共通のボルト８２０で同時に固定できるところに特徴がある。
【０１３７】
同図（ａ）に示すように、扉部材９０２の上部にメダルタンク８００とタンクレール８１０を固定するためのメダルタンク取付部９０５を備えている。
【０１３８】
また、メダルタンク８００は、取付片８０２を備え、その取付片８０２は、ボルト８２０でメダルタンク取付部９０５に固定される取付穴８０２ａを備えている。
【０１３９】
タンクレール８１０は、取付片８１２を備え、その取付片８１２は、ボルト８２０でメダルタンク８００と共にメダルタンク取付部９０５に固定される取付穴８１２ａを備えている。
【０１４０】
上記のように、まず、共通のボルト８２０は、メダルレール８１０の取付穴８１２ａと嵌合し、さらにメダルタンク８００の取付穴８０２aと嵌合して、メダルタンク取付部９０５の固定穴（図示省略）に固定される。なお、メダルタンク８００及びタンクレール８１０は、その他のボルト８２５等でメダルタンク取付部９０５の取付穴（図示省略）に固定されている。
【０１４１】
したがって、同図（ｂ）に示すように、共通のボルト８２０で異なる構成部材、例えば、メダルタンク８００及びタンクレール８１０を扉部材９０２に固定でき、組み立て、分解コスト等を削減できるという効果がある。
【０１４２】
次に、図１７を用いて、本発明に係る第９実施形態について詳細に説明する。同図（ａ）は、パチンコ機９００の扉部材９０２を本体側から見た概略斜視図であり、同図（ｂ）は、パチンコ機９００の扉部材９０２の正面図である。
【０１４３】
第９実施形態は、扉部材９０２に、球案内部材８５０と基板収容ケース８６０を共通のボルト８７０で同時に固定できるところに特徴がある。
【０１４４】
同図（ａ）に示すように、主基板収容ケース９０４の下方に球案内部材８５０と基板ケース８６０を組み付ける基板取付部９０４を備えている。
【０１４５】
また、球案内部材８５０は、取付片８５２を備え、その取付片８５２は基板収容ケース８６０と共に、ボルト８７０で固定される取付穴８５２ａを備えている。
【０１４６】
基板収容ケース８６０は、取付片８６２を備え、さらに、その取付片８６２は、ボルト８７０で球案内部材８５０と共に基板取付部９０４に取り付けられる取付穴８６２ａを備えている。
【０１４７】
まず、同図（ａ）に示す矢印の方向から、共通のボルト８７０は、基板収容ケース８６０の取付穴８６２ａと嵌合し、さらに球案内部材８５０の取付穴８５２aと嵌合して、基板取付部９０４の固定穴９０４ａに固定される。
【０１４８】
したがって、同図（ｂ）に示すように、共通のボルト８７０で異なる構成部材、例えば、球案内部材８５０及び基板収容ケース８６０を扉部材９０２に固定でき、組み立て、分解コスト等を削減できるという効果がある。
【０１４９】
尚、基板収容ケース８６０は、第６実施形態または第７実施形態で記載したような基板収容ケースでもよく、この場合、基板収容ケース等を扉部材９０２に固定するためのボルト等の締結手段の数量を大幅に削減することが可能となり、組立てや取り外しが簡単に出来るので、組み立て、分解コスト等を削減できるという効果がある。
【０１５０】
次に、図１８を用いて、本発明に係る第１０実施形態について詳細に説明する。同図は、パチンコ機９００の扉部材９０２を開いた状態の概略斜視図である。
【０１５１】
第１０実施形態は、扉部材９０２を挟んで設けられている、操作ハンドル９２０と発射基盤収容ケース９２４を共通のボルト９２５で同時に固定できるところに特徴がある。
【０１５２】
操作ハンドル９２０は、ボルト９２５と固定するための固定穴９２１を備えている。
【０１５３】
また、発射基盤収容ケース９２４は、ボルト９２５と嵌合する取付穴９２４ａを備えている。
【０１５４】
ボルト９２５は、発射基盤収容ケース９２４側から、まず取付穴９２４ａと嵌合し、扉部材９０２を挟んで、扉部材９０２の所定に位置に組み付けられると共に、操作ハンドル９０２の固定穴９０２ａと締結される。
【０１５５】
したがって、共通のボルト９２５で異なる構成部材、例えば、操作ハンドル９２０と発射基盤収容ケース９２４を前面扉９０２に同時に固定でき、組み立て、分解コスト等を削減できるという効果がある。
【０１５６】
次に、図１９を用いて、本発明に係る第１１実施形態について説明する。同図（ａ）は、パチンコ機９００に係る第１基板収容ケース１０１０、第２基板収容ケース１０２０が固定された状態を示す正面図であり、同図（ｂ）は、パチンコ機９００に係る第１基板収容ケース１０１０、第２基板収容ケース１０２０が固定解除された状態を示す正面図であり、同図（ｃ）は、第１基板収容ケース１０１０、第２基板収容ケース１０２０の固定、固定解除の動作を示す概略斜視図である。
【０１５７】
第１１実施形態は、１個のストッパー部材１０３４を回転させることによって、２つの基板収容ケース１０１０及び１０２０を同時に固定、固定解除できるところに特徴がある。
【０１５８】
扉部材９０２に備えられたサブ基板収容ケース９０３の下側に、第１基板収容ケース１０１０と、第２基板収容ケース１０２０と、ストッパー装置１０３０が備えられている。なお、第１基板収容ケース１０１０及び第２基板収容ケース１０２０は、遊技球の発射制御をする発射基盤（図示省略）等を収容し、扉部材９０２に固定するパチンコ機の構成部材の１つである。
【０１５９】
同図（ａ）に示すように、第１基板収容ケース１０１０は、ケース本体１０１１と、ケース本体１０１１を扉部材９０２側に回転可能に軸支する支軸部材１０１４を備えている。ケース本体１０１１は、段部１０１２を有すると共に、後で説明する支軸部材１０１４に設けられた回転軸１０１４ａに軸支され、扉部材９０２側に回転するように構成されている。
【０１６０】
また、支軸部材１０１４は、先に説明した回転軸１０１４ａと、ボルト１０４０と嵌合して支軸部材１０１４を扉部材９０２に取り付ける取付穴１０１４ｂと、ケース本体１０１１の回転を所定の位置（本実施例では、遊技者と逆側にケース本体が９０°倒れた位置）で規制する規制部材１０１４ｃを備えて構成されている。
【０１６１】
第１基板収容ケース１０１０と同様に、第２基板収容ケース１０２０は、ケース本体１０２１と、ケース本体１０２１を扉部材９０２側に回転可能に軸支する支軸部材１０２４を備えている。ケース本体１０２１は、段部１０２２を有すると共に、後で説明する支軸部材１０２４に設けられた回転軸１０２４ａに軸支され、扉部材９０２側に回転するように構成されている。
【０１６２】
また、支軸部材１０２４は、先に説明した回転軸１０２４ａと、ボルト１０４０と嵌合して支軸部材１０２４を扉部材９０２に取り付ける取付穴１０２４ｂと、ケース本体１０２１の回転を所定の位置（本実施例では、遊技者と逆側にケース本体が約９０°倒れた位置）で規制する規制部材１０２４ｃを備えて構成されている。
【０１６３】
ストッパー装置１０３０は、支軸部材１０３２と、ストッパー部材１０３４を備えて構成されている。支軸部材１０３２は、樹脂製または金属製の略棒状部材で、一端は扉部材９０２に固定され、他端は後で説明するストッパー部材１０３４を回転可能に軸支するようにされている。ストッパー部材１０３４は、樹脂製又は金属製の略板状部材で、支軸部材１０３２に回転可能に軸支されている。
【０１６４】
第１基板収容ケース１０１０及び第２基板収容ケース１０２０を回転可能に軸支した、支軸部材１０１４及び１０２４は、ボルト１０４０により取付穴１０１４ｂ、１０２４ｂと嵌合しながら扉部材９０２の所定の位置に固定される。同図（ａ）に示すように、本実施例では、第１基板収容ケース１０１０と第２基板収容ケース１０２０は横並びに並設され、ストッパー部材１０３０は、その第１基板収容ケース１０１０と第２基板収容ケース１０２０の略中間に設けられている。したがって、ストッパー部材１０３４が、同図（ａ）に示す位置にある場合、ストッパー部材１０３４は、段部１０１２、１０２２を押さえており、各基板収容ケース１０１０、１０２０は扉部材９０２に固定される。一方、ストッパー部材１０３４をＡ方向（同図（ｃ）参考）に回転させ、同図（ｂ）に示す位置にある場合、各基板収容ケース１０１０、１０２０はＢ方向（同図（ｃ）参考）に回転可能となる。この場合、各基板収容ケース１０１０、１０２０は、所定の位置（本実施例では、遊技者と逆側へ約９０°回転した位置）で規制部材１０１４ｃ、１０２４ｃと当接して、その位置で回転が規制され、停止するように構成されている。
【０１６５】
したがって、各基板収容ケース１０１０、１０２０が回転する勢いで扉部材９０２へ衝突して内部の基板（図示省略）や他の構成部材を破損してしまうのを防止でき、また、ストッパー装置１０３０を回転させることで、各基板収容ケース１０１０、１０２０を扉部材９０２から簡単に外せるので、基板（図示省略）の組み付け等のメンテナンスを容易にすることができるという効果がある。
【０１６６】
また、種類の異なる構成部材を同時に固定してもよく、例えば、本実施例の各基板収容ケース１０１０、１０２０と、サブ基板収容ケース９０３をストッパー装置１０３０で同時に固定するようにしても好ましい。
【０１６７】
次に、図２０を用いて、本発明に係る第１２実施形態について詳細に説明する。同図（ａ）は、パチンコ機９００に係る第１基板収容ケース１０１０、第２基板収容ケース１０２０が固定された状態を示す正面図であり、同図（ｂ）は、パチンコ機９００に係る第１基板収容ケース１０１０、第２基板収容ケース１０２０が固定解除された状態を示す正面図であり、同図（ｃ）は、第１基板収容ケース１０１０、第２基板収容ケース１０２０の固定、固定解除の動作を示す概略斜視図である。
【０１６８】
第１２実施形態は、ストッパー装置１０８０をスライドさせて、各基板収容ケース１０１０、１０２０を固定、固定解除できるところに特徴がある。その他の構成部材等については第１１実施形態と変わるところはなく、ここでは詳細な説明は省略する。
【０１６９】
ストッパー装置１０８０は、第１凸片１０８２と、第２凸片１０８４を備えた、樹脂製又は金属製の板状部材で、扉部材９０２の所定の位置でＡ、Ｂ方向（同図（ｃ）参考）にスライド可能に設けられている。
【０１７０】
図２０（ａ）（ｂ）に示すように、第１基板収容ケース１０１０と第２基板収容ケース１０２０は、扉部材９０２の所定の位置に横並びに並設され、ストッパー装置１０８０は、その各基板収容ケース１０１０、１０２０の上方にスライド可能に設けられている。同図（ｃ）に示すように、ストッパー装置１０８０をＡ方向にスライドさせた場合、第１凸片１０８２と、第２凸片１０８４は、それぞれ第１基板収容ケース１０１０の段部１０１２と第２基板収容ケース１０２０の段部１０２２を押えるように構成されている。また、ストッパー装置１０８０をＢ方向にスライドさせた場合、第１凸片１０８２と、第２凸片１０８４は、それぞれ第１基板収容ケース１０１０の段部１０１２と第２基板収容ケース１０２０の段部１０２２を押えを解除するように構成されている。
【０１７１】
したがって、ストッパー装置１０８０をＡ方向又はＢ方向にスライドさせることにより、各基板収容ケース１０１０、１０２０を扉部材９０２に固定したり、固定を解除することができ、各基板収容ケースの内部に設けられた基板等（図示省略）の組み付け等のメンテナンスを容易にすることができるという効果がある。
【０１７２】
また、種類の異なる構成部材を同時に固定してもよく、例えば、本実施例の各基板収容ケース１０１０、１０２０と、サブ基板収容ケース９０３をストッパー装置１０８０で同時に固定するようにしても好ましい。
【０１７３】
次に、図２１を用いて、本発明に係る第１３実施形態について詳細に説明する。同図（ａ）は、パチンコ機９００に係る第１基板収容ケース１０１０、第２基板収容ケース１０２０が固定された状態を示す正面図であり、同図（ｂ）は、パチンコ機９００に係る第１基板収容ケース１０１０、第２基板収容ケース１０２０が固定解除された状態を示す正面図であり、同図（ｃ）は、第１基板収容ケース１０１０、第２基板収容ケース１０２０の固定、固定解除の動作を示す概略斜視図である。
【０１７４】
第１３実施形態は、第１１実施形態に対して、第１基板収容ケース１０１０と第２基板収容ケース１０２０の着脱を観音開き（横開き）構造にしたところに特徴がある。その他の構成部材等については第１１実施形態と変わるところはなく、ここでは詳細な説明は省略する。
【０１７５】
本実施例では、同図（ａ）に示すように、第１基板収容ケース１１０のケース本体１０１１と、第２基板収容ケース１０２０のケース本体１０２１は、扉部材９０２の所定の位置に配置されると共に、扉部材９０２に対して垂直方向（いわゆる観音開き方向）に回転するように、支軸部材１０１４、１０２４に軸支されている。また、ケース本体１０１１、１０２１が回転した時に、支軸部材１０１４、１０２４に設けられた規制部材１０１４ｃ、１０２４ｃに当接し、回転を所定の位置（本実施例では、垂直方向に約９０°開いた位置）で停止するように構成されている。
【０１７６】
また、ストッパー１０３４が、同図（ａ）の位置にある場合、ケース本体１０１１、１０２１の段部１０１２、１０２２がストッパー部材１０３４に押さえられて、扉部材９０２に固定される。一方、ストッパー部材１０３４が同図（ｂ）の位置にある場合、ケース本体１０１１、１０２１に設けられた段部１０１２、１０２２は押さえが解除され、ケース本体１０１１、１０１２は所定の位置まで回転可能となる（同図（ｃ）参照）。
【０１７７】
したがって、各基板収容ケース１０１０、１０２０が、回転の勢いで扉部材９０２へ衝突して、基板（図示省略）や他の構成部材を破損するのを防止でき、また、ストッパー装置１０３０を回転させることで、各基板収容ケース１０１０、１０２０を扉部材９０２から外せるので、基板（図示省略）の組み付け等のメンテナンスを容易にすることができるという効果がある。
【０１７８】
また、種類の異なる構成部材を同時に固定してもよく、例えば、本実施例の各基板収容ケース１０１０、１０２０と、サブ基板収容ケース９０３をストッパー装置１０３０で同時に固定するようにしても好ましい。
【０１７９】
次に、図２２を用いて、本発明に係る第１４実施形態について詳細に説明する。同図（ａ）は、パチンコ機９００に係る第１基板収容ケース１０１０、第２基板収容ケース１０２０が固定された状態を示す正面図であり、同図（ｂ）は、パチンコ機９００に係る第１基板収容ケース１０１０、第２基板収容ケース１０２０が固定解除された状態を示す正面図であり、同図（ｃ）は、第１基板収容ケース１０１０、第２基板収容ケース１０２０の固定、固定解除の動作を示す概略斜視図である。
【０１８０】
第１４実施形態は、第１２実施形態に対して、第１基板収容ケース１０１０と第２基板収容ケース１０２０の着脱を観音開き（横開き）構造にしたところに特徴がある。その他の構成部材等については第１２実施形態と変わるところはなく、ここでは詳細な説明は省略する。
【０１８１】
第１２実施形態と同様に、本実施例では、同図（ａ）に示すように、第１基板収容ケース１０１０のケース本体１０１１と、第２基板収容ケース１０２０のケース本体１０２１は、扉部材９０２に対して垂直方向に回転するように、支軸部材１０１４、１０２４に軸支されている。また、第１基板収容ケース１０１０と、第２基板収容ケース１０２０は、扉部材９０２の所定の位置に配置されると共に、各基板収容ケース１０１０、１０２０を開いたときに、いわゆる観音開きになるように配置されている。また、ケース本体１０１１、１０２１が回転した時に、支軸部材１０１４、１０２４に設けられた規制部材１０１４ｃ、１０２４ｃに当接し、回転を所定の位置（本実施例では、垂直方向に約９０°開いた位置）で停止するように構成されている。
【０１８２】
ストッパー装置１０８０は、第１凸片１０８２と、第２凸片１０８４を備えた、樹脂製又は金属製の板状部材で、扉部材９０２の所定の位置でスライド可能に設けられている。
【０１８３】
図２２（ａ）、（ｂ）に示すように、第１基板収容ケース１０１０と第２基板収容ケース１０２０は、扉部材９０２の所定の位置に横並びに並設され、ストッパー装置１０８０は、その各基板収容ケース１０１０、１０２０の上方にスライド可能に設けられ、同図（ｃ）に示すように、ストッパー装置１０８０を矢印のＡ方向にスライドさせた場合、第１凸片１０８２と、第２凸片１０８４は、それぞれ第１基板収容ケース１０１０の段部１０１２と第２基板収容ケース１０２０の段部１０２２を押えるように構成されている。また、ストッパー装置１０８０を矢印のＢ方向にスライドさせた場合、第１凸片１０８２と、第２凸片１０８４は、それぞれ第１基板収容ケース１０１０の段部１０１２と第２基板収容ケース１０２０の段部１０２２を押えが解除され矢印のＣ方向に回転するように構成されている。
【０１８４】
したがって、各基板収容ケース１０１０、１０２０が、回転した勢いで扉部材９０２へ衝突し、基板（図示省略）や他の構成部材を破損してしまうのを防止でき、また、ストッパー装置１０８０をスライドさせることで、各基板収容ケース１０１０、１０２０を外せるので、内部の基板等（図示省略）の組み付け等のメンテナンスを容易にすることができるという効果がある。
【０１８５】
また、種類の異なる構成部材を同時に固定してもよく、例えば、本実施例の各基板収容ケース１０１０、１０２０と、サブ基板収容ケース９０３をストッパー装置１０８０で同時に固定するようにしても好ましい。
【０１８６】
また、上記の実施形態で記載したものの他、スロットマシン１００、パチンコ機９００の構成部材で、配置が隣接している部材であれば、その他の構成部材を共通のボルト等で固定、固定解除できるようにしてもよいことは言うまでもない。
【産業上の利用可能性】
【０１８７】
本発明は、スロットマシンやパチンコ等に代表される遊技台に適用することができる。
【図面の簡単な説明】
【０１８８】
【図１】本発明の第１実施形態に係るスロットマシンの概略斜視図である。
【図２】同スロットマシンの主制御部の回路構成を示した図である。
【図３】同スロットマシンの副制御部の回路構成を示した図である。
【図４】主制御部３００のメイン処理の流れを示すフローチャートである。
【図５】（ａ）スロットマシン１００の本体１０１の遊技者側から見た正面図であり、（ｂ）基板収容ケース２００の概略斜視図であり、（ｃ）基板収容ケース２００の側面図であり、（ｄ）同図（ａ）のＡ−Ａで切断した基板収容ケース２００と本体１０１の断面図である。
【図６】（ａ）第２実施形態に係るスロットマシン１００の前面扉１０２を開放した状態（ホッパー２５０収容前）を示す図であり、（ｂ）同スロットマシン１００の前面扉１０２を開放した状態（ホッパー２５０収容後）を示す図である。
【図７】（ａ）同ホッパー２５０等が固定解除されている状態を示す図であり、（ｂ）同ホッパー２５０等が固定されている状態を示す図である。
【図８】（ａ）第３実施形態に係るスロットマシン１００の前面扉１０２を開放した状態（ホッパー２５０等固定解除状態）を示した図であり、（ｂ）同スロットマシン１００の前面扉１０２を開放した状態（ホッパー２５０等固定状態）を示した図である。
【図９】（ａ）同ホッパー２５０等が固定解除されている状態を示す図であり、（ｂ）同ホッパー２５０等が固定されている状態を示す図である。
【図１０】（ａ）第４実施形態に係るリールユニット１０８の概略斜視図であり、（ｂ）同基板収容ケース５００の概略斜視図であり、（ｃ）同スロットマシン１００の前面扉１０２を開放した状態（基板収容ケース組み付け前）の遊技者側から見た正面図であり、（ｄ）同スロットマシン１００の前面扉１０２を開放した状態（基板収容ケース組み付け後）の遊技者側から見た正面図であり、（ｅ）同（ｄ）のＡ−Ａで切断したリールユニット１０８と基板収容ケース５００の断面図である。
【図１１】（ａ）第５実施形態に係るスロットマシン１００の概略斜視図であり、（ｂ）同スロットマシン１００の前面扉１０２を開放した状態の概略斜視図であり、（ｃ）同本体１０１に組み付けられたメダル投入口１３４の断面図である。
【図１２】第６実施形態に係るパチンコ機９００の扉部材９０２の本体側から見た概略斜視図である。
【図１３】（ａ）同扉部材９０２を本体側から見た概略斜視図であり、（ｂ）同扉部材９０２を本体側から見た正面図であり、（ｃ）同（ｂ）のＡ−Ａで切断した第１基板収容ケース６５２と第２基板収容ケース６５４の断面図である。
【図１４】第７実施形態に係るパチンコ機９００の扉部材９０２の本体側から見た概略斜視図である。
【図１５】（ａ）同扉部材９０２の本体側から見た概略斜視図であり、（ｂ）同扉部材９０２の本体側から見た正面図であり、（ｃ）同（ｂ）のＡ−Ａで切断した第１基板収容ケース７１０と第２基板収容ケース７２０と、第３基板収容ケース７３０の断面図である。
【図１６】（ａ）第８実施形態に係るパチンコ機９００の扉部材９０２を本体側から見た概略斜視図であり、（ｂ）同パチンコ機９００の扉部材９０２を本体側から見た正面図である。
【図１７】（ａ）第９実施形態に係るパチンコ機９００の扉部材９０２を本体側から見た概略斜視図であり、（ｂ）同パチンコ機９００の扉部材９０２の正面図である。
【図１８】第１０実施形態に係るパチンコ機９００の扉部材９０２を開いた状態の概略斜視図である。
【図１９】（ａ）第１１実施形態に係るパチンコ機９００の第１基板収容ケース１０１０、第２基板収容ケース１０２０が固定された状態を示す正面図であり、（ｂ）同パチンコ機９００に係る第１基板収容ケース１０１０、第２基板収容ケース１０２０が固定解除された状態を示す正面図であり、（ｃ）同第１基板収容ケース１０１０、第２基板収容ケース１０２０の固定、固定解除の動作を示す概略斜視図である。
【図２０】（ａ）第１２実施形態に係るパチンコ機９００の第１基板収容ケース１０１０、第２基板収容ケース１０２０が固定された状態を示す正面図であり、（ｂ）同パチンコ機９００に係る第１基板収容ケース１０１０、第２基板収容ケース１０２０が固定解除された状態を示す正面図であり、（ｃ）同第１基板収容ケース１０１０、第２基板収容ケース１０２０の固定、固定解除の動作を示す概略斜視図である。
【図２１】（ａ）第１３実施形態に係るパチンコ機９００に係る第１基板収容ケース１０１０、第２基板収容ケース１０２０が固定された状態を示す正面図であり、（ｂ）同パチンコ機９００に係る第１基板収容ケース１０１０、第２基板収容ケース１０２０が固定解除された状態を示す正面図であり、（ｃ）同第１基板収容ケース１０１０、第２基板収容ケース１０２０の固定、固定解除の動作を示す概略斜視図である。
【図２２】（ａ）第１４実施形態に係るパチンコ機９００の第１基板収容ケース１０１０、第２基板収容ケース１０２０が固定された状態を示す正面図であり、（ｂ）同パチンコ機９００に係る第１基板収容ケース１０１０、第２基板収容ケース１０２０が固定解除された状態を示す正面図であり、（ｃ）同第１基板収容ケース１０１０、第２基板収容ケース１０２０の固定、固定解除の動作を示す概略斜視図である。
【符号の説明】
【０１８９】
１００  スロットマシン
１０１  本体
１０２  全面扉
１３４  メダル投入口
２００  基板収容ケース
３００  主制御部
４００  副制御部
９００  パチンコ機
９０１  本体
９０２  扉部材
【図１】
2009189445.tif 000003
【図２】
2009189445.tif 000004
【図３】
2009189445.tif 000005
【図４】
2009189445.tif 000006
【図５】
2009189445.tif 000007
【図６】
2009189445.tif 000008
【図７】
2009189445.tif 000009
【図８】
2009189445.tif 000010
【図９】
2009189445.tif 000011
【図１０】
2009189445.tif 000012
【図１１】
2009189445.tif 000013
【図１２】
2009189445.tif 000014
【図１３】
2009189445.tif 000015
【図１４】
2009189445.tif 000016
【図１５】
2009189445.tif 000017
【図１６】
2009189445.tif 000018
【図１７】
2009189445.tif 000019
【図１８】
2009189445.tif 000020
【図１９】
2009189445.tif 000021
【図２０】
2009189445.tif 000022
【図２１】
2009189445.tif 000023
【図２２】
2009189445.tif 000024